(57)【要約】【課題】スイッチ以外の別部品（例えばカバー）を必要とせず、スイッチの操作性を向上するようにした押ボタンスイッチを提供する。【解決手段】押ボタンスイッチ１は、操作ボタン部５と、操作ボタン部５に連動してスイッチ接点の開閉操作を行う操作軸６とを備える。また、押ボタンスイッチ１は、操作軸６が挿通する挿通孔を有する円筒状ケーシング１０と、円筒状ケーシング１０の上面に装着され、操作軸６が挿通する挿通孔を有するとともに、円筒状ケーシング１０の軸回りに回動自在なロック操作部材１４と、操作軸６が押し込まれた状態でロック操作部材１４を所定位置まで回動させることにより、操作軸６とロック操作部材１４とを係合し、操作軸６の軸方向への移動をロック状態とする係合手段（係合突起２０と係合溝２１）とを有する。【選択図】  図７
2006059696.tif 000002
【特許請求の範囲】
【請求項１】
操作ボタン部と、操作ボタン部に連動してスイッチ接点の開閉操作を行う操作軸とを備えた押ボタンスイッチであって、
前記操作軸が挿通する挿通孔を有する筒状ケーシングと、
前記筒状ケーシングの上面に装着され、操作軸が挿通する挿通孔を有するとともに、筒状ケーシングの軸回りに回転自在なロック操作部材と、
前記操作軸が押し込まれた状態で前記ロック操作部材を所定位置まで回転動作させることにより、操作軸とロック操作部材とを係合して、操作軸の軸方向への移動をロック状態とする係合手段と、
を有することを特徴とする押ボタンスイッチ。
【請求項２】
操作ボタン部と、操作ボタン部に連動してスイッチ接点の開閉操作を行う操作軸とを備えた押ボタンスイッチであって、
前記操作軸が挿通する挿通孔を有する筒状ケーシングと、
前記筒状ケーシングの上面に装着され、操作軸が挿通する挿通孔を有するとともに、筒状ケーシングの軸回り回転自在なロック操作部材と、
前記操作軸が押し込まれていない状態で、前記ロック操作部材を所定位置まで回転動作させることにより、操作軸とロック操作部材とを係合し、操作軸の軸方向への移動をロック状態とする係合手段と、
を有することを特徴とする押ボタンスイッチ。
【請求項３】
操作ボタン部と、操作ボタン部に連動してスイッチ接点の開閉操作を行う操作軸とを備えた押ボタンスイッチであって、
前記操作軸が挿通する挿通孔を有する筒状ケーシングと、
前記筒状ケーシングの上面に装着され、操作軸が挿通する挿通孔を有するとともに、筒状ケーシングの軸回りに回転自在なロック操作部材と、
を有し、
前記ロック操作部材及び前記筒状ケーシングには、ロック用穴を有するフランジがそれぞれ形成されており、
前記操作軸が押し込まれた状態で、前記ロック操作部材を、ロック操作部材及び筒状ケーシングの各ロック用穴同士が重なり合う所定位置まで回転動作させ、この状態でロック用穴同士に錠を取付けることにより、操作軸の、前記回転方向とは反対方向への回転動作をロック状態とすることを特徴とする押ボタンスイッチ。
【請求項４】
前記係合手段は、
ロック操作部材の内周面又は操作軸の外周面の何れか一方に形成される係合突起と、
ロック操作部材の内周面又は操作軸の外周面の何れか他方に形成され、前記係合突起が嵌り込む係合溝であって、縦溝部と、縦溝部の上部から周方向に延びる横溝部とから構成される、そのような係合溝と、
を有し、
前記操作軸が押し込まれていない状態では、係合突起が縦溝部に位置し、操作軸が押し込まれた状態では、係合突起が横溝部と同一高さ位置となる、請求項１又は３記載の押ボタンスイッチ。
【請求項５】
前記係合手段は、
ロック操作部材の内周面又は操作軸の外周面の何れか一方に形成される係合突起と、
ロック操作部材の内周面又は操作軸の外周面の何れか他方に形成され、前記係合突起が嵌り込む係合溝であって、縦溝部と、縦溝部の下部から周方向に延びる横溝部とから構成される、そのような係合溝と、
を有し、
前記操作軸が押し込まれていない状態では、係合突起が横溝部と同一高さ位置にあり、ロック操作部材を所定位置から反対方向に回転動作させ、且つ、操作軸が押し込まれた状態では、係合突起が縦溝部に位置する、請求項２記載の押ボタンスイッチ。
【請求項６】
前記ロック操作部材及び前記筒状ケーシングには、ロック用穴を有するフランジがそれぞれ形成され、
このロック操作部材のフランジと筒状ケーシングのフランジとは、ロック操作部材が前記所定位置に回転されたときに、その所定位置で前記ロック用穴同士が重なり合うような位置に予め配設されているとともに、前記所定位置でロック用穴同士に錠が取付けられている、請求項１、２、４、５の何れかに記載の押ボタンスイッチ。
【発明の詳細な説明】
【技術分野】
【０００１】
本発明は、非常停止用押ボタンスイッチ等に好適に実施することができる押ボタンスイッチに関する。
【背景技術】
【０００２】
従来、例えば工作機械の制御パネルには、安全装置として非常停止用の押ボタンスイッチが配設され、非常時にこの押ボタンスイッチを押し込み操作することによって機械の主回路への電源供給を遮断してその動作を停止できるようになっている。
このような非常停止用の押ボタンスイッチの従来技術としては、スイッチにカバーを取付けた構造のものが知られている（特開平９−１９０１５号公報、実開昭６０−１１５４２３号公報）。
【０００３】
この種のスイッチにカバーを取付けた構造の非常停止用押ボタンスイッチのロック動作の原理について図１１を参照して説明する。工作機械の運転動作中は、カバー１００は開かれた状態であり（図１１（１））、工作機械を停止する際は、押ボタン１０１を押し込み、その状態でカバー１００を閉じて押ボタン１０１を覆う。そして、南京錠１０２でロックする（図１１（２））。これにより、南京錠１０２を解除しない限り、工作機械が運転動作することはなく、不慮の災害の発生を防止できる。
【０００４】
【特許文献１】特開平９−１９０１５号公報
【特許文献２】実開昭６０−１１５４２３号公報
【発明の開示】
【発明が解決しようとする課題】
【０００５】
しかしながら、上記特許文献１，２に記載の押ボタンスイッチでは、スイッチ以外の別部品（カバー）が必要となり、コスト高となる。
【０００６】
また、非常時に機械の緊急停止のためスイッチを押す際に、スイッチの近傍にカバーがあると、カバーが邪魔をしてスイッチの操作性が劣る。このように操作性が劣ることにより、スイッチの動作タイミングが遅れると、大きな事故につながることから、スイッチの近傍には何もない状態が望ましい。
【０００７】
本発明は、上記の実情を鑑みて考え出されたものであり、その目的は、スイッチ以外の別部品を必要とせず、スイッチの操作性を向上するようにした押ボタンスイッチを提供することである。
【課題を解決するための手段】
【０００８】
上記目的を達成するために、本発明のうち請求項１記載の発明は、操作ボタン部と、操作ボタン部に連動してスイッチ接点の開閉操作を行う操作軸とを備えた押ボタンスイッチであって、前記操作軸が挿通する挿通孔を有する筒状ケーシングと、前記筒状ケーシングの上面に装着され、操作軸が挿通する挿通孔を有するとともに、筒状ケーシングの軸回りに回転自在なロック操作部材と、前記操作軸が押し込まれた状態で前記ロック操作部材を所定位置まで回転動作させることにより、操作軸とロック操作部材とを係合して、操作軸の軸方向への移動をロック状態とする係合手段と、を有することを特徴とする。
【０００９】
上記の如く、操作軸が押し込まれた状態で、ロック操作部材を所定位置まで回転動作させることにより、操作軸の軸方向への移動をロック状態とすることができる。従って、操作軸が押し込まれていない通常状態に復帰することが防止される。その結果、例えば、プルリセット方式の非常停止用スイッチのような場合に、誤って操作軸が復帰して工作機械等が運転状態になることが防止できる。なお、安全性をさらに向上するためには、錠等によってロック操作部材の回転を規制するようなしておけばよい。
【００１０】
また、操作軸とロック操作部材とを係合手段によって係合して、操作軸の軸方向への移動をロック状態とするように構成されているので、従来例のようなカバー等の別部材を必要としない。従って、従来例に比べて、コストの低減を図ることができるとともに、非常停止時の操作性が良好となる。
【００１１】
また、請求項２記載の発明は、操作ボタン部と、操作ボタン部に連動してスイッチ接点の開閉操作を行う操作軸とを備えた押ボタンスイッチであって、前記操作軸が挿通する挿通孔を有する筒状ケーシングと、前記筒状ケーシングの上面に装着され、操作軸が挿通する挿通孔を有するとともに、筒状ケーシングの軸回り回転自在なロック操作部材と、前記操作軸が押し込まれていない状態で、前記ロック操作部材を所定位置まで回転動作させることにより、操作軸とロック操作部材とを係合し、操作軸の軸方向への移動をロック状態とする係合手段と、を有することを特徴とする。
【００１２】
上記構成により、操作ボタン部を押し込んでいない通常状態で、操作軸の軸方向への移動をロック状態とすることができる。従って、操作ボタン部を押し込んでいない通常状態でロックする必要がある起動スイッチ等に適用することができる。
【００１３】
また、請求項３記載の発明は、操作ボタン部と、操作ボタン部に連動してスイッチ接点の開閉操作を行う操作軸とを備えた押ボタンスイッチであって、前記操作軸が挿通する挿通孔を有する筒状ケーシングと、前記筒状ケーシングの上面に装着され、操作軸が挿通する挿通孔を有するとともに、筒状ケーシングの軸回りに回転自在なロック操作部材と、を有し、前記ロック操作部材及び前記筒状ケーシングには、ロック用穴を有するフランジがそれぞれ形成されており、前記操作軸が押し込まれた状態で、前記ロック操作部材を、ロック操作部材及び筒状ケーシングの各ロック用穴同士が重なり合う所定位置まで回転動作させ、この状態でロック用穴同士に錠を取付けることにより、操作軸の、前記回転方向とは反対方向への回転動作をロック状態とすることを特徴とする押ボタンスイッチ。
【００１４】
上記の如く、ロック用穴同士に錠を取付けることにより、操作軸の、前記回転方向とは反対方向への回転動作をロック状態とすることができるので、ターンリセット方式の非常停止用スイッチ等にも適用することができる。
【００１５】
また、請求項４記載の発明は、請求項１又は３記載の押ボタンスイッチであって、前記係合手段は、ロック操作部材の内周面又は操作軸の外周面の何れか一方に形成される係合突起と、ロック操作部材の内周面又は操作軸の外周面の何れか他方に形成され、前記係合突起が嵌り込む係合溝であって、縦溝部と、縦溝部の上部から周方向に延びる横溝部とから構成される、そのような係合溝と、を有し、前記操作軸が押し込まれていない状態では、係合突起が縦溝部に位置し、操作軸が押し込まれた状態では、係合突起が横溝部と同一高さ位置となることを特徴とする。
【００１６】
上記構成により、操作軸が押し込まれていない状態で、操作軸を押し込むことにより、係合突起が横溝部と同一高さ位置になるので、ロック操作部材の所定位置までの回転が許容状態となる。従って、ロック操作部材を所定位置まで回転操作し、係合突起を横溝部に嵌り込ませて、操作軸の軸方向の移動をロックすることが可能となる。
【００１７】
また、請求項５記載の発明は、請求項２記載の押ボタンスイッチであって、前記係合手段は、ロック操作部材の内周面又は操作軸の外周面の何れか一方に形成される係合突起と、ロック操作部材の内周面又は操作軸の外周面の何れか他方に形成され、前記係合突起が嵌り込む係合溝であって、縦溝部と、縦溝部の下部から周方向に延びる横溝部とから構成される、そのような係合溝と、を有し、前記操作軸が押し込まれていない状態では、係合突起が横溝部と同一高さ位置にあり、ロック操作部材を所定位置から反対方向に回転動作させ、且つ、操作軸が押し込まれた状態では、係合突起が縦溝部に位置することを特徴とする。
【００１８】
上記構成により、操作軸が押し込まれていない状態で、係合突起が横溝部と同一高さ位置にあるので、ロック操作部材の所定位置までの回転が許容状態となる。従って、ロック操作部材を所定位置まで回転操作し、係合突起を横溝部に嵌り込ませて、操作軸の軸方向の移動をロックすることが可能となる。なお、操作ボタン部の押し込みに際しては、ロック操作部材を所定位置から反対方向に回転動作させることにより、操作軸のロック状態が解除される。これにより、操作ボタン部を押し込み操作することが可能となる。
【００１９】
また、請求項６記載の発明は、請求項１、２、４、５の何れかに記載の押ボタンスイッチであって、前記ロック操作部材及び前記筒状ケーシングには、ロック用穴を有するフランジがそれぞれ形成され、このロック操作部材のフランジと筒状ケーシングのフランジとは、ロック操作部材が前記所定位置に回転されたときに、その所定位置で前記ロック用穴同士が重なり合うような位置に予め配設されているとともに、前記所定位置でロック用穴同士に錠が取付けられていることを特徴とする。
【００２０】
上記の如く、ロック用穴同士に錠を取付けることにより、ロック操作部材の回転が規制され、これにより、押ボタンスイッチのロック状態がより完全になり、安全性が向上する。
【発明の効果】
【００２１】
本発明によれば、操作軸とロック操作部材とを係合手段によって係合して、操作軸の軸方向への移動をロック状態とするように構成されているので、従来例のようなカバー等の別部材を必要としない。従って、従来例に比べて、コストの低減を図ることができるとともに、非常停止時の操作性が良好となるという効果を奏する。
【発明を実施するための最良の形態】
【００２２】
以下、本発明に係る押ボタンスイッチを実施の形態に基づいて詳述する。なお、本発明は、以下の実施の形態に限定されるものではない。
【００２３】
（実施の形態１）
図１は実施の形態１に係る押ボタンスイッチの全体構成を示す正面図であり、図２はその平面図であり、図３は図１の矢視Ａ−Ａ断面図であり、図４は押ボタンスイッチに備えられる操作軸の周方向展開図であり、図５は押ボタンスイッチの縦断面図であり、図６は押ボタンスイッチの分解斜視図である。なお、以下の説明では、押ボタンスイッチは、非常停止用押ボタンスイッチであって、ターンリセット方式のものを一例として挙げる。
【００２４】
押ボタンスイッチ１は、例えば制御パネル２に取付けられている。この押ボタンスイッチ１は、スッイチ接点を備えたスイッチ本体３と、操作部４とを備える。操作部４は、操作ボタン部５と、操作ボタン部５に一体的に形成されスイッチ接点の開閉操作を行う操作軸６とを備える。なお、本実施の形態では、操作ボタン部５と操作軸６とは一体的に形成されているけれども、別部材であってもよい。要は、操作軸６が、操作ボタン部５の押圧操作に連動するような構成であればよい。
【００２５】
制御パネル２上に形成されている円筒状ケーシング１０は、操作軸６が挿通する挿通孔１１を有するとともに、ロック用穴１２を備えたフランジ１３が形成されている。なお、本実施の形態では、ケーシング１０は円筒状であるけれども、角筒状、若しくは楕円筒状であってもよい。この円筒状ケーシング１０の上面には、操作軸６をロックするロック操作部材１４が円筒状ケーシング１０の軸回りに回転自在に装着されている。このロック操作部材１４は、操作軸６が挿通する挿通孔１５を有する円板状の本体部１６と、本体部１６の外周から外方に突出したフランジ１７とからなる。フランジ１７には、円筒状ケーシング１０のロック用穴１２と同様なロック用穴１８が形成されている。この本体部１６の内周面には、周方向に１８０度間隔をあけて一対の係合突起２０，２０が形成されている。
【００２６】
一方、操作軸６の外周面には、係合突起２０，２０に対応して周方向に１８０度間隔をあけて一対の係合溝２１，２１が形成されている。係合溝２１は、略逆Ｌ字状に形成されており、縦溝部２１Ａと、縦溝部２１Ａの上部から周方向に延びる横溝部２１Ｂとから構成されている。縦溝部２１Ａの幅長（周方向に沿った長さ）は、係合突起２０の幅長（周方向に沿った長さ）に、リセット時の操作ボタン部５（操作軸６）の回転角度分が加わった長さに設定されている。従って、係合突起２０が縦溝部２１Ａの下部に位置している場合は、操作軸６は軸方向（上下方向）への移動は許容されており、また、ロック操作部材１４のＹ１方向への所定位置までの回転は規制されている。また、操作軸６が軸方向に押し込まれて、係合突起２０が横溝部２１Ｂと同一高さ位置になった場合は、ロック操作部材１４のＹ１方向への所定位置までの回転が許容される。
【００２７】
なお、ロック操作部材１４をＹ１方向へ回転操作して、係合突起２０が横溝部２１Ｂに位置する状態となった場合は、ロック用穴１２とロック用穴１８とが重なるように、フランジ１３と操作部１７との配置位置が予め設定されている。
【００２８】
また、円筒状ケーシング１０には上方に開口した収納溝２５が形成されており、この収納溝２５にはねじりコイルバネ２６が配設されている。このねじりコイルバネ２６の一端はロック操作部材１４に固定され、他端は収納溝２５の底面に固定されており、これにより、ロック操作部材１４はＹ１方向とは反対方向に付勢されている。
【００２９】
図７は押ボタンスイッチの動作を説明するための図であり、そのうち、図７（１）は通常時、操作時、及びロック時における平面図、図７（２）はその正面図、図７（３）は図７（２）の矢視Ａ−Ａ断面図、図７（４）は係合突起２０と係合溝２１との係合状態を示す図である。
【００３０】
操作ボタン部５が押し込まれていない通常状態（例えば工作機械の運転動作中）では、係合突起２０が縦溝部２１Ａに位置しているので、ロック操作部材１４のＹ１方向への所定位置までの回動は阻止されているが、操作軸６の軸方向への移動は許容されている。このような状態で、工作機械の運転を停止するため、操作ボタン部５を押し込むと、工作機械の主回路への電源供給が遮断されその動作が停止する。そして、この操作ボタン部５の押し込みによって、係合突起２０と横溝部２１Ｂとは同一高さ位置となり、ロック操作部材１４のＹ１方向への所定位置までの回転が許容状態となる。
【００３１】
そして、ロック操作部材１４をねじりコイルバネ２６による回転力に逆らってＹ１方向に回転操作すると、係合突起２０が横溝部２１Ｂに嵌まり込む。このとき、ロック用穴１２とロック用穴１８とが重なるようになっているので、図８に示すように南京錠３０をロック用穴１２，１８に掛けてロックする。これにより、ロック操作部材１４及び操作軸６は、Ｙ１方向とは反対方向の回転が規制される。この結果、工作機械の停止状態が安全に保持されることになる。なお、南京錠３０に代えて、掛け金（ＨＡＳＰ）を用いてもよい。また、南京錠３０を取り外せば、ねじりコイルバネ２６の回転力により自動的にロック操作部材１４が縦溝部２１Ａまで戻るとともに、操作ボタン部５（操作軸６）がＹ１方向とは反対方向に回転動作してリセットし、通常状態にすることができる。
【００３２】
なお、本実施の形態では、係合突起２０及び係合溝２１は、周方向に１８０度間隔をあけて一対配置されているので、例えば、ロック状態において意図しない操作等がされても、確実にロック状態を維持することができる。
【００３３】
また、上記構成の押ボタンスイッチ１では、通常状態（工作機械等の運転中）において、非常停止する必要が生じた場合、操作ボタン部５（操作軸６）を押し込むことにより、機械の主回路への電源供給が遮断されその動作が停止する。この非常停止の際に、操作ボタン部５の近傍にカバー等の部品が存在しないので、操作性が良好となり、操作の遅れによる大きな災害の発生を防止することが可能となる。
【００３４】
なお、上記の例では、ターンリセット方式の非常停止用スイッチについて説明したけれども、プルリセット方式の非常停止用スイッチにも適用することができ、その場合には、図４に示すように、係合溝２１における縦溝部２１Ａの幅長を、係合突起２０の幅長よりも充分に大きくとるようにしてよく、また、ターンリセット方式において必要とされる操作ボタン部５（操作軸６）の回転角度分を考慮する必要がないので、係合溝２１における縦溝部２１Ａの幅長を、係合突起２０の幅長とほぼ同一とするようにしてもよい。
【００３５】
なお、このようなプルリセット方式の非常停止用スイッチにおけるロック動作においては、上記のターンリセット方式の非常停止用スイッチとでは以下の点で異なる。即ち、ロック操作部材１４をＹ１方向へ回転操作して、係合突起２０が横溝部２１Ｂに位置する状態となった場合は、プルリセット方式では係合突起２０の横溝部２１Ｂへの係合によって操作軸６の軸方向への移動が規制された状態となるのに対して、ターンリセット方式では係合突起２０の横溝部２１Ｂへの係合に関係なく、スイッチ本体の構造によって操作軸６の軸方向への移動が規制されることである。
【００３６】
（実施の形態２）
図９は実施の形態２に係る押ボタンスイッチの正面図であり、図１０は係合突起と係合溝との係合状態を示す図である。本実施の形態における押ボタンスイッチ１は起動スイッチであり、従って、安全対策のために、操作ボタン部５が押し込まれていない通常時に、ロック状態とするものである。そのため、本実施の形態では、係合溝２１が略Ｌ字状に形成されている。そして、通常時には、図１０（１）に示すように、係合突起２０が係合溝２１の縦溝部２１Ａに位置している。従って、押ボタンスイッチ１のロックのためには、ロック操作部材１４をＹ１方向に回転操作して、係合溝２１を横溝部２１Ｂに嵌り込ませる。そして、南京錠３０によってロックする。
【００３７】
起動のため、押ボタンの押し込み操作に際しては、南京錠３０を解錠し、ロック操作部材１４をＹ１方向とは反対方向へ回転操作する。これにより、係合突起２０が縦溝部２１Ａに位置することになり、操作軸６の軸方向の移動が許容状態となる。次いで、操作ボタン部５（操作軸６）を押し込むことにより、工作機械等の起動状態が得られることになる。なお、この押し込み状態では、係合突起２０が縦溝部２１Ａの上部に位置する（図１０（２））する。
【００３８】
このような起動スイッチであっても、押し込み時に、操作ボタン部５の近傍にカバー等の部品が存在しないので、操作性が良好となる。
【００３９】
なお、上記の例では、図９に示すように、係合溝２１における縦溝部２１Ａの幅長を、係合突起２０の幅長よりも充分に大きくとるようにしているが、プルリセット方式の非常停止用スイッチと同様に、係合溝２１における縦溝部２１Ａの幅長を、係合突起２０の幅長とほぼ同一とするようにしてもよい。
【００４０】
（その他の事項）
（１）上記実施の形態では、係合突起２０はロック操作部材１４の内周面に形成し、係合溝２１は操作軸６の外周面に形成されていたけれども、係合突起２０は操作軸６の外周面に形成され、係合溝２１はロック操作部材１４の内周面に形成してもよい。
【００４１】
（２）押ボタンスイッチは、非常停止用スイッチ、起動スイッチに限らず、セレクタスイッチにも適用できる。また、非常停止用スイッチとしては、ターンリセット方式、プルリセット方式、ターン・プル兼用リセット方式のいずれのものであってもよい。なお、セレクタスイッチの場合は、係合溝２１の形状は、Ｉ字状の溝でも可能である。
【００４２】
（３）ねじりコイルバネ２６の付勢方向を逆にしてもよく、そのようにすれば押し込み時に自動ロック可能な構成となる。
【００４３】
（４）上記実施の形態では、ロック用穴１２を備えるフランジ１３と、ロック用穴１８を備えるフランジ１７とは、それぞれ１個ずつ形成されていたけれども、フランジ１３，１７を周方向に複数設けて、複数の操作者がそれぞれ南京錠３０によってロックするようにしてもよい。
【産業上の利用可能性】
【００４４】
本発明は、非常停止用押ボタンスイッチ等に好適に実施することができる。
【図面の簡単な説明】
【００４５】
【図１】図１は実施の形態１に係る押ボタンスイッチの全体構成を示す正面図である。
【図２】図２は実施の形態１に係る押ボタンスイッチの平面図である。
【図３】図１の矢視Ａ−Ａ断面図である。
【図４】実施の形態１に備えられる操作軸の周方向展開図である。
【図５】実施の形態１に係る押ボタンスイッチの縦断面図である。
【図６】実施の形態１に係る押ボタンスイッチの分解斜視図である。
【図７】押ボタンスイッチの動作を説明するための図であり、そのうち、図７（１）は通常時、操作時、及びロック時における平面図、図７（２）は正面図、図７（３）は図７（２）の矢視Ａ−Ａ断面図、図７（４）は係合突起２０と係合溝２１との係合状態を示す図である。
【図８】南京錠３０がロック用穴１２，１８に掛けられた状態を示す図である。
【図９】実施の形態２に係る押ボタンスイッチの正面図である。
【図１０】実施の形態２に係る押ボタンスイッチにおける係合突起と係合溝との係合状態を示す図である。
【図１１】従来のスイッチにカバーを取付けた構造の非常停止用押ボタンスイッチのロック動作の原理を示す図である。
【符号の説明】
【００４６】
１：押ボタンスイッチ                    ２：制御パネル
３：スイッチ本体                        ４：操作部
５：操作ボタン部                        ６：操作軸
１０：円筒状ケーシング            １１，１５：挿通孔
１２，１８：ロック用穴                  １３，１７：フランジ
１４：ロック操作部材                    １６：本体部
２０：係合突起                          ２１：係合溝
２１Ａ：縦溝部                          ２１Ｂ：横溝部
３０：南京錠
【図１】
2006059696.tif 000003
【図２】
2006059696.tif 000004
【図３】
2006059696.tif 000005
【図４】
2006059696.tif 000006
【図５】
2006059696.tif 000007
【図６】
2006059696.tif 000008
【図７】
2006059696.tif 000009
【図８】
2006059696.tif 000010
【図９】
2006059696.tif 000011
【図１０】
2006059696.tif 000012
【図１１】
2006059696.tif 000013